(57)【要約】      （修正有）【課題】長靴において、使用者が前屈したとき、筒状部の履き口の前縁が足の脛に強く当たらないようにした長靴を提供する。【解決手段】足の甲と脛を収容する筒状部１０と、筒状部１０の下端部に設けた靴底部２０とを有し、筒状部１０の上端部に履き口１１を開口してなる長靴１Ａにおいて、筒状部１０の前面における履き口１１の高さＨ１を、該筒状部１０の後面における履き口１１の高さＨ０よりも低くしてなるもの。【選択図】図１
0003180788.tif 000002
【実用新案登録請求の範囲】
【請求項１】
足の甲と脛を収容する筒状部と、筒状部の下端部に設けた靴底部とを有し、筒状部の上端部に履き口を開口してなる長靴において、
筒状部の前面における履き口の高さを、該筒状部の後面における履き口の高さよりも低くしてなることを特徴する長靴。
【請求項２】
前記履き口の全周のうちの後側円弧部の高さを一定にし、全周のうちの残余の前側円弧部の高さを前方に向けて徐々に低くしてなる請求項１に記載の長靴。
【請求項３】
前記履き口の全周の高さを前方に向けて徐々に低くしてなる請求項１に記載の長靴。
【請求項４】
前記履き口を前後方向に長い長円状にし、長円の短径をＡとするとき、長円の長径Ｂを1.3Ａ〜1.6Ａの範囲内にて定め、履き口の前後の高さの差ΔＨを0.3Ａ〜1.0Ａの範囲内にて定めてなる請求項１〜３のいずれかに記載の長靴。
【考案の詳細な説明】
【技術分野】
【０００１】
本考案は長靴に関する。
【背景技術】
【０００２】
長靴として、特許文献１、２に記載の如く、足の甲と脛を収容する筒状部と、筒状部の下端部に設けた靴底部とを有し、筒状部の上端部に履き口を開口してなるものがある。
【０００３】
特許文献１、２に記載の長靴は、筒状部の履き口の全周各部の高さ（靴底部の底面に対する高さ）を一定にしている。従って、筒状部の前面における履き口の高さを、該筒状部の後面における履き口の高さと概ね同じにしている。
【０００４】
尚、特許文献２に記載の長靴は、筒状部の履き口をひょうたん状に連なる大開口部と小開口部からなるものにしている。長靴の筒状部への足の挿入時には小開口部を広げて履き口の開口径を広くして履き易くし、足の挿入後には小開口部をすぼめて履き口の開口径を狭くするものである。
【先行技術文献】
【特許文献】
【０００５】
【特許文献１】特開2012-34714
【特許文献２】特開2011-4959
【考案の概要】
【考案が解決しようとする課題】
【０００６】
特許文献１、２に記載の長靴にあっては、足を筒状部に挿入して歩行に供する使用段階で、筒状部の前面における履き口の高さを、該筒状部の後面における履き口の高さと概ね同じにしている。このため、使用者が前屈したとき、筒状部の履き口の前縁が足の脛に強く当たる。
【０００７】
従って、長靴において筒状部の履き口の前縁が使用者の足の脛を圧迫し、前屈しにくくする。また、長靴の上記前屈に伴なう屈曲部に生ずる応力が大きく、その劣化を促進し、寿命を損なう。
【０００８】
本考案の課題は、長靴において、使用者が前屈したとき、筒状部の履き口の前縁が足の脛に強く当たらないようにすることにある。
【課題を解決するための手段】
【０００９】
請求項１に係る考案は、足の甲と脛を収容する筒状部と、筒状部の下端部に設けた靴底部とを有し、筒状部の上端部に履き口を開口してなる長靴において、筒状部の前面における履き口の高さを、該筒状部の後面における履き口の高さよりも低くしてなるようにしたものである。
【００１０】
請求項２に係る考案は、請求項１に係る考案において更に、前記履き口の全周のうちの後側円弧部の高さを一定にし、全周のうちの残余の前側円弧部の高さを前方に向けて徐々に低くしてなるようにしたものである。
【００１１】
請求項３に係る考案は、請求項１に係る考案において更に、前記履き口の全周の高さを前方に向けて徐々に低くしてなるようにしたものである。
【００１２】
請求項４に係る考案は、請求項１〜３のいずれかに係る考案において更に、前記履き口を前後方向に長い長円状にし、長円の短径をＡとするとき、長円の長径Ｂを1.3Ａ〜1.6Ａの範囲内にて定め、履き口の前後の高さの差ΔＨを0.3Ａ〜1.0Ａの範囲内にて定めてなるようにしたものである。
【考案の効果】
【００１３】
（請求項１）
(a)長靴において、筒状部の前面における履き口の高さを、該筒状部の後面における履き口の高さよりも低くしたから、使用者が前屈したとき、筒状部の履き口の前縁が足の脛に強く当たらない。
【００１４】
従って、長靴において筒状部の履き口の前縁が使用者の足の脛を圧迫することがなく、楽に前屈できる。
【００１５】
また、長靴の上記前屈に伴なう屈曲部に生ずる応力が小さく、その劣化や亀裂の発生を回避し、長靴が長持ちする。
【００１６】
更に、長靴において筒状部の履き口が上方に臨むだけでなく、前方にも臨むものになり、使用者によるその履き口への足の挿入性も良く、履き易い。
【００１７】
また、長靴において筒状部の後面における高さが高くなっている履き口の外周に反射板を付けることで、安全性を高めることができる。
【００１８】
（請求項２）
(b)前記履き口の全周のうちの後側円弧部の高さを一定にし、全周のうちの残余の前側円弧部の高さを前方に向けて徐々に低くした。筒状部の履き口の全周のうちの後側の特定範囲例えば概ね180度範囲（後側半周）に渡る後側円弧部が一定の高さで使用者の足のふくらはぎを覆うものになり、この後側円弧部が雨水除け、泥水除けとして有効に機能する。
【００１９】
（請求項３）
(c)前記履き口の全周の高さを前方に向けて徐々に低くした。筒状部の履き口の側面部の上縁がなだらかに前傾し、この側面部の上縁が使用者の足のふくらはぎの側部に及ぼす圧迫を改善できる。
【００２０】
（請求項４）
(d)前記履き口を前後方向に長い長円状にし、長円の短径をＡとするとき、長円の長径Ｂを1.3Ａ〜1.6Ａの範囲内にて定め、履き口の前後の高さの差ΔＨを0.3Ａ〜1.0Ａの範囲内にて定めることにより、上述(a)〜(c)を一層確実にする。
【図面の簡単な説明】
【００２１】
【図１】図１は長靴を示す模式図である。
【図２】図２は長靴の使用状態を示す模式図である。
【図３】図３は長靴の他の例を示す模式図である。
【図４】図４は長靴の使用状態を示す模式図である。
【考案を実施するための形態】
【００２２】
図１に示した長靴１Ａは、足の甲と脛（ふくらはぎも含む）を収容する筒状部１０と、筒状部１０の下端部に設けた靴底部２０とを有し、筒状部１０の上端部に履き口１１を開口して備える。
【００２３】
長靴１Ａは、筒状部１０と靴底部２０を天然ゴム、合成ゴム、天然ゴムと合成ゴムの混合ゴム、ポリエチレン、エラストマー、ポリ塩化ビニル、エチレン酢酸ビニルコポリマー等のいずれかにより形成される。
【００２４】
しかるに、長靴１Ａは、使用者が前屈したとき（図２）、筒状部１０の履き口１１の前縁が足の脛に強く当たらないようにするため、以下の構成を具備する。即ち、筒状部１０の前面における履き口１１の高さＨ1（靴底部２０の底面に対する高さＨ1）を、該筒状部１０の後面における履き口１１の高さＨ0（靴底部２０の底面に対する高さＨ0）よりも、ΔＨだけ低くしている。
【００２５】
長靴１Ａにあっては、履き口１１の全周のうちの後側の概ね180度範囲（後側半周）に渡る後側円弧部１１Ｒの高さを一定（Ｈ0）にし、全周のうちの残余（前側半周）の前側円弧部１１Ｆの高さを後側円弧部１１Ｒとの左右の境界部から前方に向けて徐々に低くしている。長靴１Ａの側面視で、後側円弧部１１Ｒの上縁は水平状をなし、前側円弧部１１Ｆの上縁は外方へ向けて凹んだ湾曲状をなす（但し、前側円弧部１１Ｆの上縁は直線状をなしても可）。
【００２６】
尚、長靴１Ａにあっては、履き口１１の全周のうちの後側の例えば120度範囲（後側1/3周）に渡る後側円弧部１１Ｒの高さを一定（水平状）にし、全周のうちの残余（前側2/3周）の前側円弧部１１Ｆの高さを前方に向けて徐々に低く（湾曲状又は直線状）することもできる。
【００２７】
長靴１Ａにあっては、平面視で、好適には、履き口１１を前後方向に長い長円状にし、長円の短径をＡとするとき、長円の長径Ｂを1.3Ａ〜1.6Ａの範囲内にて定め、履き口１１の前後の高さＨ1、Ｈ0の差ΔＨ（＝Ｈ0−Ｈ1）を0.3Ａ〜1.0Ａの範囲内にて定める。
【００２８】
長靴１Ａにあっては、筒状部１０の後面における高さＨ0が高くなっている履き口１１の上縁寄り外面に反射板１２を設け、或いは履き口１１の上縁に取手１３を設けることもできる。
【００２９】
長靴１Ａによれば以下の作用効果を奏する。
(a)長靴１Ａにおいて、筒状部１０の前面における履き口１１の高さＨ1を、該筒状部１０の後面における履き口１１の高さＨ0よりも低くしたから、使用者が前屈したとき（図２）、筒状部１０の履き口１１の前縁が足の脛に強く当たらない。
【００３０】
従って、長靴１Ａにおいて筒状部１０の履き口１１の前縁が使用者の足の脛を圧迫することがなく、楽に前屈できる。
【００３１】
また、長靴１Ａの上記前屈に伴なう屈曲部に生ずる応力が小さく、その劣化や亀裂の発生を回避し、長靴１Ａが長持ちする。
【００３２】
更に、長靴１Ａにおいて筒状部１０の履き口１１が上方に臨むだけでなく、前方にも臨むものになり、使用者によるその履き口１１への足の挿入性も良く、履き易い。
【００３３】
また、長靴１Ａにおいて筒状部１０の後面における高さＨ0が高くなっている履き口１１の外周に反射板１２を付けることで、安全性を高めることができる。
【００３４】
(b)前記履き口１１の全周のうちの後側円弧部１１Ｒの高さを一定にし、全周のうちの残余の前側円弧部１１Ｆの高さを前方に向けて徐々に低くした。筒状部１０の履き口１１の全周のうちの後側の例えば概ね180度範囲（後側半周）に渡る後側円弧部１１Ｒが一定の高さで使用者の足のふくらはぎを覆うものになり、この後側円弧部１１Ｒが雨水除け、泥水除けとして有効に機能する。
【００３５】
(c)前記履き口１１を前後方向に長い長円状にし、長円の短径をＡとするとき、長円の長径Ｂを1.3Ａ〜1.6Ａの範囲内にて定め、履き口１１の前後の高さＨ1、Ｈ0の差ΔＨを0.3Ａ〜1.0Ａの範囲内にて定めることにより、上述(a)、(b)を一層確実にする。
【００３６】
図３に示した長靴１Ｂも、使用者が前屈したとき（図４）、筒状部１０の履き口１１の前縁が足の脛に強く当たらないようにするため、以下の構成を具備する。即ち、筒状部１０の前面における履き口１１の高さＨ1（靴底部２０の底面に対する高さＨ1）を、該筒状部１０の後面における履き口１１の高さＨ0（靴底部２０の底面に対する高さＨ0）よりも、ΔＨだけ低くしている。
【００３７】
長靴１Ｂにあっては、履き口１１の全周の高さを前方に向けて徐々に低くしている。長靴１Ｂの側面視で、履き口１１の上縁は曲線状又は直線状をなす。
【００３８】
長靴１Ｂにあっては、平面視で、好適には、履き口１１を前後方向に長い長円状にし、長円の短径をＡとするとき、長円の長径Ｂを1.3Ａ〜1.6Ａの範囲内にて定め、履き口１１の前後の高さＨ1、Ｈ0の差ΔＨ（＝Ｈ0−Ｈ1）を0.3Ａ〜1.0Ａの範囲内にて定める。
【００３９】
長靴１Ｂにあっても、筒状部１０の後面における高さＨ0が高くなっている履き口１１の上縁寄り外面に反射板１２を設け、或いは履き口１１の上縁に取手１３を設けることもできる。
【００４０】
長靴１Ｂによれば以下の作用効果を奏する。
(a)長靴１Ｂにおいて、筒状部１０の前面における履き口１１の高さＨ1を、該筒状部１０の後面における履き口１１の高さＨ0よりも低くしたから、使用者が前屈したとき、筒状部１０の履き口１１の前縁が足の脛に強く当たらない。
【００４１】
従って、長靴１Ｂにおいて筒状部１０の履き口１１の前縁が使用者の足の脛を圧迫することがなく、楽に前屈できる。
【００４２】
また、長靴１Ｂの上記前屈に伴なう屈曲部に生ずる応力が小さく、その劣化や亀裂の発生を回避し、長靴１Ｂが長持ちする。
【００４３】
更に、長靴１Ｂにおいて筒状部１０の履き口１１が上方に臨むだけでなく、前方にも臨むものになり、使用者によるその履き口１１への足の挿入性も良く、履き易い。
【００４４】
また、長靴１Ｂにおいて筒状部１０の後面における高さＨ0が高くなっている履き口１１の外周に反射板１２を付けることで、安全性を高めることができる。
【００４５】
(b)前記履き口１１の全周の高さを前方に向けて徐々に低くした。筒状部１０の履き口１１の側面部の上縁がなだらかに前傾し、この側面部の上縁が使用者の足のふくらはぎの側部に及ぼす圧迫を改善できる。
【００４６】
(c)前記履き口１１を前後方向に長い長円状にし、長円の短径をＡとするとき、長円の長径Ｂを1.3Ａ〜1.6Ａの範囲内にて定め、履き口１１の前後の高さＨ1、Ｈ0の差ΔＨを0.3Ａ〜1.0Ａの範囲内にて定めることにより、上述(a)、(b)を一層確実にする。
【００４７】
以上、本考案の実施例を図面により詳述したが、本考案の具体的な構成はこの実施例に限られるものではなく、本考案の要旨を逸脱しない範囲の設計の変更等があっても本考案に含まれる。
【産業上の利用可能性】
【００４８】
本考案は、足の甲と脛を収容する筒状部と、筒状部の下端部に設けた靴底部とを有し、筒状部の上端部に履き口を開口してなる長靴において、筒状部の前面における履き口の高さを、該筒状部の後面における履き口の高さよりも低くした。これにより、長靴において、使用者が前屈したとき、筒状部の履き口の前縁が足の脛に強く当たらないようにすることができる。
【符号の説明】
【００４９】
１Ａ、１Ｂ  長靴
１０  筒状部
１１  履き口
１１Ｆ  前側円弧部
１１Ｒ  後側円弧部
２０  靴底部
【図１】
0003180788.tif 000003
【図２】
0003180788.tif 000004
【図３】
0003180788.tif 000005
【図４】
0003180788.tif 000006